(57)【要約】【課題】作業員の労力を軽減することができるばねクリップ型ケーブルハンガー取り外し装置を得る。【解決手段】ケーブルハンガー取り外し装置１は、メッセンジャーワイヤ２に沿って移動するガイドローラ付きのキャリッジ手段５と、キャリッジ本体６に回転自在に取り付けた複数個のギヤ８ａ，８ｂ，８ｃ，８ｄと、無端チェーン９と、メッセンジャーワイヤ２よりも低いレベルでギヤに取り付けてこのギヤと一体に回転することができ、半径方向に延びる少なくとも２個のアームを有する回転アーム手段１０，１１と、レバー操作手段１２とを有する。第１回転アーム手段１０によりケーブルハンガー４をねじりを戻してメッセンジャーワイヤから外し、外れたばねクリップ型ケーブルハンガー４を捕集ケージ６Ａによって捕集する。【選択図】図１
2005287283.tif 000002
【特許請求の範囲】
【請求項１】
予め電柱間に架設したメッセンジャーワイヤに沿ってばねクリップ型のケーブルハンガーにより結束して架設した電力又は通信用のケーブルを付け替えまたはケーブル増設の際に使用するばねクリップ型ケーブルハンガーの取り外し装置において、
メッセンジャーワイヤに沿って移動するガイドローラ付きのキャリッジ手段と、
このキャリッジ手段に回転自在に取り付け、前記メッセンジャーワイヤよりも低いレベルで半径方向に延びる少なくとも２個のアームを有する回転アーム手段と、
前記回転アーム手段を回転駆動する駆動手段と、
この駆動手段を操作する操作手段と、
外れたばねクリップ型ケーブルハンガーを捕集する捕集ケージと
を具えたことを特徴とするばねクリップ型ケーブルハンガー取り外し装置。
【請求項２】
前記駆動手段を、前記キャリッジ手段に回転自在に取り付けた複数個のギヤを有し、このうちの１個のギヤが前記回転アーム手段と一体に回転するよう設けられているギヤ手段と、これら複数個のギヤに巻き掛けた無端チェーンとにより構成し、前記操作手段を、前記無端チェーンを操作するチェーン操作手段により構成した請求項１に記載のばねクリップ型ケーブルハンガー取り外し装置。
【請求項３】
前記駆動手段を、前記回転アーム手段と一体に回転するよう設けたプーリ手段と、このプーリ手段を正逆両方向に回転させるワイヤもしくはベルト手段とにより構成し、前記操作手段を、前記ワイヤもしくはベルト手段を操作するワイヤもしくはベルト操作手段により構成した請求項１に記載のばねクリップ型ケーブルハンガー取り外し装置。
【請求項４】
前記チェーン操作手段又はワイヤもしくはベルト操作手段は、手動レバー手段によって構成した請求項２又は３に記載のばねクリップ型ケーブルハンガー取り外し装置。
【請求項５】
前記チェーン操作手段又はワイヤもしくはベルト操作手段は、電動もしくは空気圧動作の動力手段によって構成した請求項２又は３に記載のばねクリップ型ケーブルハンガー取り外し装置。
【請求項６】
前記動力手段を遠隔操作の動力手段として構成した請求項５記載のばねクリップ型ケーブルハンガー取り外し装置。
【請求項７】
前記回転アーム手段を、キャリッジ進行方向に見て前方のギヤに連結してこのギヤと一体に回転する第１回転アーム手段と、前方ギヤの後方に隣接する隣接ギヤに連結してこの隣接ギヤと一体に回転する第２回転アーム手段とにより構成した請求項１乃至６のうちのいずれか一項に記載のばねクリップ型ケーブルハンガー取り外し装置。
【請求項８】
第２回転アーム手段を、前記第１回転アーム手段よりも低いレベルで前記隣接ギヤに連結した第１サブアーム手段と、この第１サブアーム手段よりも低くかつ前記ケーブルより低いレベルで前記隣接ギヤに連結した第２サブアーム手段とにより構成した請求項７記載のばねクリップ型ケーブルハンガー取り外し装置。
【請求項９】
前記第１回転アーム手段を、アームの軸線がほぼ直径方向に整列する１対の半径方向アームを有し、一方の半径方向アームは中心から前方に向かって延在し、中心から先端に向かう先細テーパを付けたものとし、他方の半径方向アームは中心から後方に向かって延在し、中心から先端に向かう末広がりテーパを付けたものとした請求項７又は８記載のばねクリップ型ケーブルハンガー取り外し装置。
【請求項１０】
前記第２回転アーム手段は、アーム軸線が順次１２０゜の角度間隔毎に設けた３個の半径方向アームを有し、これら半径方向アームは、中心から先端にかけて先細テーパを付けたものとした請求項８又は９記載のばねクリップ型ケーブルハンガー取り外し装置。
【発明の詳細な説明】
【技術分野】
【０００１】
本発明は、予め電柱間に架設したメッセンジャーワイヤに沿って、約６０ｃｍ毎にばねクリップ型ケーブルハンガーにより結束して架設した電力又は通信用のケーブルを付け替える、またはケーブルを増設する際に使用するばねクリップ型ケーブルハンガー取り外し装置に関するものである。
【背景技術】
【０００２】
このばねクリップ型ケーブルハンガーは、ほぼＵ字状の形状を有しており、Ｕ字の底部がメッセンジャーワイヤ下方でワイヤに交差して延在し、一方脚部がメッセンジャーワイヤの前方に向かうとともにメッセンジャーワイヤに斜めに交差するようねじり曲げ、他方の脚部がメッセンジャーワイヤの後方に向かうとともにメッセンジャーワイヤに斜めに交差するようねじり曲げ、各脚部の端部がメッセンジャーワイヤの頂面に引っ掛かるフック部分を有する。更に、Ｕ字の底部にはケーブルを保持するハンモック状の受け部を設けている。
【０００３】
従来は、このようなばねクリップ型ケーブルハンガーを取り外すには、高所作業車に乗った作業員が工具を使用することなく、手でばねクリップのフック部分を外す作業を行っていた。
【発明の開示】
【発明が解決しようとする課題】
【０００４】
しかし、約６０ｃｍ毎に行うこのような手作業は大きな労力が必要であり、作業員にとってはきつい仕事であった。従って、本発明の目的は、作業員の労力を軽減し、作業時間を短縮することができるばねクリップ型ケーブルハンガー取り外し装置を得るにある。
【課題を解決するための手段】
【０００５】
この目的を達成するため、本発明ばねクリップ型ケーブルハンガー取り外し装置は、メッセンジャーワイヤに沿って移動するガイドローラ付きのキャリッジ手段と、このキャリッジ手段に回転自在に取り付け、前記メッセンジャーワイヤよりも低いレベルで半径方向に延びる少なくとも２個のアームを有する回転アーム手段と、前記回転アーム手段を回転駆動する駆動手段と、この駆動手段を操作する操作手段と、外れたばねクリップ型ケーブルハンガーを捕集する捕集ケージとを具えたことを特徴とする。
【発明の効果】
【０００６】
本発明によれば、駆動手段を操作する操作手段を操作するだけで回転アーム手段の少なくとも２個のアームが回転する際に、ケーブルハンガーとしてのばねクリップの一方フック部分をメッセンジャーワイヤから外し、簡単にばねクリップを払い落とすことができ、作業員の労力を軽減することができる。外れたばねクリップ型ケーブルハンガーは、キャリッジ手段に設けた捕集ケージ内に落ちる。
【発明を実施するための最良の形態】
【０００７】
本発明の好適な実施例においては、前記駆動手段を、前記キャリッジ手段に回転自在に取り付けた複数個のギヤを有し、このうちの１個のギヤが前記回転アーム手段と一体に回転するよう設けられているギヤ手段と、これら複数個のギヤに巻き掛けた無端チェーンとにより構成し、前記操作手段を、前記無端チェーンを操作するチェーン操作手段により構成しする。
【０００８】
本発明の他の好適な実施例においては、前記駆動手段を、前記回転アーム手段と一体に回転するよう設けたプーリ手段と、このプーリ手段を正逆両方向に回転させるワイヤもしくはベルト手段とにより構成し、前記操作手段を、前記ワイヤもしくはベルト手段を操作するワイヤもしくはベルト操作手段により構成する。
【０００９】
チェーン操作手段又はワイヤもしくはベルト操作手段は、手動レバー手段によって構成するか、または、電動もしくは空気圧動作の動力手段によって構成するとよい。さらに、動力手段は遠隔操作の動力手段として構成することもできる。
【００１０】
本発明の好適な実施例においては、前記回転アーム手段を、キャリッジ進行方向に見て前方のギヤに連結してこのギヤと一体に回転する第１回転アーム手段と、前方ギヤの後方に隣接する隣接ギヤに連結してこのドライヤと一体に回転する第２回転アーム手段とにより構成する。この構成によれば、第１回転アーム手段で一方の脚部のフック部分しか外れなかったばねクリップ型ケーブルハンガーを、第２回転アーム手段で他方の脚部のフック部分を確実に外してクリップ全体をメッセンジャーワイヤから外すことができる。
【００１１】
本発明の他の好適な実施例においては、第２回転アーム手段を、前記第１回転アーム手段よりも低いレベルで前記隣接ギヤに連結した第１サブアーム手段と、この第１サブアーム手段よりも低くかつ前記ケーブルより低いレベルで前記隣接ギヤに連結した第２サブアーム手段とにより構成する。この構成によれば、第２回転アーム手段の第１サブアーム手段でメッセンジャーワイヤから外れたばねクリップ型ケーブルハンガーのいずれか一方のフック部分が下方のケーブルに引っ掛かった場合でも、第２サブワイヤ手段によってケーブルから外すことができる。
【００１２】
本発明の更に他の好適な実施例においては、第１回転アーム手段を、アームの軸線がほぼ直径方向にほぼ整列する１対の半径方向アームを有し、一方の半径方向アームは中心から前方に向かって延在し、中心から先端に向かう先細テーパを付けたものとし、他方の半径方向アームは中心から後方に向かって延在し、中心から先端に向かう末広がりテーパを付けたものとする。この構成によれば、ばねクリップ型ケーブルハンガーの脚部間の隙間にスムーズに進入することができる。
【００１３】
更に、本発明の他の好適な実施例においては、前記第２回転アーム手段は、アーム軸線が順次１２０゜の角度間隔毎に設けた３個の半径方向アームを有し、これら半径方向アームは、中心から先端にかけて先細テーパを付けたものとする。この３個の半径方向アームによれば、引っ掛かっているばねクリップ型ケーブルハンガーのフック部分を、メッセンジャーワイヤまたはケーブルから確実に払い落とすことができる。
【００１４】
次に、図面につき本発明の好適な実施例を説明する。
【実施例１】
【００１５】
図１は、本発明の好適な実施例のばねクリップ型ケーブルハンガー取り外し装置１と、架設したメッセンジャーワイヤ２および（電力または通信）ケーブル３と、ばねクリップ型ケーブルハンガー４を、上方から見た平面図を示す。
【００１６】
ばねクリップ型ケーブルハンガー４は、図１〜図３に示すように、ほぼＵ字状の形状であり、Ｕ字の底部がメッセンジャーワイヤ下方でワイヤに交差して延在し、一方脚部がメッセンジャーワイヤの前方に向かうとともにメッセンジャーワイヤに斜めに交差するようねじり曲げ、他方の脚部がメッセンジャーワイヤの後方に向かうとともにメッセンジャーワイヤに斜めに交差するようねじり曲げ、各脚部の端部がメッセンジャーワイヤの頂面に引っ掛かるフック部分を有する。更に、Ｕ字の底部にはケーブルを保持するハンモック状の受け部を設ける。
【００１７】
本発明によるばねクリップ型ケーブルハンガー取り外し装置１は、メッセンジャーワイヤ２に沿って移動するガイドローラ付きのキャリッジ手段５を有する。このガイドローラ付きキャリッジ手段５は、キャリッジ本体６と、このキャリッジ本体６に回転自在に支持したＶ字状断面のローラであって、メッセンジャーワイヤ２に乗って転動し、少なくともキャリッジ進行方向に見て前後に２個のガイドローラ７とにより構成する。また、各ガイドローラ７は、キャリッジ本体６に取り付ける拘束ピン７Ａとともに、メッセンジャーワイヤ２を挟み込む。更に、キャリッジ本体６は、外したばねクリップ型ケーブルハンガー４を捕集する捕集ケージ６Ａ（図１〜図３において点線で示す）を有する。
【００１８】
このキャリッジ本体６に、駆動手段としての複数個のギヤ，図示の実施例では４個のギヤ８ａ，８ｂ，８ｃ，８ｄを回転自在に取り付ける。これらギヤ８ａ，８ｂ，８ｃ，８ｄには無端チェーン９を巻き掛ける。図示の実施例では、ギヤ８ｂ，８ｃはテンションギヤとしても機能する。キャリッジ進行方向前方のギヤ８ａには第１回転アーム手段１０を設け、またギヤ８ａのすぐ後方で隣接するギヤ８ｂには第２回転アーム手段１１を設ける。第１回転アーム手段１０は、メッセンジャーワイヤ２よりも低いレベルでギヤ８ａに取り付ける。また第２回転アーム手段１１は、第１回転アーム手段１０よりも下方のレベルでギヤ８ｂに取り付ける（図２参照）。
【００１９】
第１回転アーム手段１０は、アームの軸線がほぼ直径方向にほぼ整列する１対の半径方向アーム１０ａ、１０ｂを有する。一方の半径方向アーム１０ａはギヤ８ａの中心から前方に向かって延在し、中心から先端に向かう先細テーパを付けたものとする。他方の半径方向アーム１０ｂは中心から後方に向かって延在し、中心から先端に向かう末広がりテーパを付けたものとする。
【００２０】
第２回転アーム手段１１は、第１回転アーム手段１０よりも低いレベルで隣接ギヤ８ｂに連結した第１サブアーム手段１１Ａと、この第１サブアーム手段１１Ａよりも低くかつケーブル３より低いレベルで隣接ギヤ８ｂに連結した第２サブアーム手段１１Ｂとにより構成する（図２参照）。第２回転アーム手段１１、即ち、第１サブアーム手段１１Ａおよび第２サブアーム手段１１Ｂは、それぞれ、アーム軸線が順次１２０゜の角度間隔毎に設けた３個の半径方向アーム１１ａおよび１１ｂを有し、これら半径方向アーム１１ａおよび１１ｂには中心から先端にかけて先細テーパを付ける。
【００２１】
更に、本発明ばねクリップ型ケーブルハンガー取り外し装置１には、駆動手段の一部をなす無端チェーン９を操作するチェーン操作手段として、ワイヤリンクのレバー操作手段１２を設ける。このレバー操作手段１２の全体を図４に示す。このレバー操作手段は、自転車のブレーキまたはギヤチェンジレバーのようにスリーブ１３内にワイヤ１４を挿通する。また、ばねによって一方向に引っ張った連結部１５を介してワイヤ１４を無端チェーン９に連結し、ワイヤ１４を操作するレバーグリップ１６を設ける。
【００２２】
使用にあたり、本装置を電柱際のメッセンジャーワイヤ２にセットした後、キャリッジ手段５に取り付けた牽引ロープ１７（図２参照）を地上の作業員が引っ張って、キャリッジ本体６を前進させる。第１回転アーム手段１０をばねクリップ型ケーブルハンガー４のループ（図３参照）内に入り込ませる（図６参照）。この状態になったとき、ばねクリップ型ケーブルハンガーに阻止されてキャリッジ本体６は前進できなくなる。このとき、ばね負荷に抗してレバーグリップ１６を引き絞ることによって、前方のギヤ８ａに巻き掛けた無端チェーン９は、例えば、図４で示すように時計方向に約２７０゜の角度範囲にわたり回転する。この回転とともに、第１回転アーム１０は時計方向に約２７０゜の角度範囲にわたり回転する。このとき、ばねクリップ型ケーブルハンガー４のねじりを戻す方向に作用してばねクリップ型ケーブルハンガー４をメッセンジャーワイヤ２から外す。順次の外れたばねクリップ型ケーブルハンガー４は捕集ケージ６Ａに落ちて溜まる。
【００２３】
一方、第２回転アーム１１（第１サブアーム手段１１Ａおよび第２サブアーム手段１１Ｂ）は反時計方向に回転する。第１サブアーム手段１１Ａは、第１回転アーム手段１０の回転によっても一方のフック部分しかメッセンジャーワイヤ２から外れなかったばねクリップ型ケーブルハンガー４を振り払う作用を行う。更に、第２サブアーム手段１１Ｂは、メッセンジャーワイヤ２から外れたのに、ばねクリップ型ケーブルハンガー４がケーブル３に引っ掛かったときに振り払う作用を行う。メッセンジャーワイヤ２およびケーブル３から外れたばねクリップ型ケーブルハンガー４は、捕集ケージ６Ａ内に落ちる。
【００２４】
レバーグリップ１６を釈放することにより無端チェーン９は初期状態に復帰し、第１回転アーム１０および第２回転アームは逆方向に復帰回転する。ばねクリップ型ケーブルハンガーは、ケーブルに沿って約６０ｃｍの間隔で取り付けられるため、この作業を繰り返しつつ、先方の電柱に向かってキャリッジ手段５を前進させ、電柱間に取り付けられているばねクリップ型ケーブルハンガーの撤去作業を終了する。
【実施例２】
【００２５】
図７に、本発明ばねクリップ型ケーブルハンガー取り外し装置における回転アーム手段を駆動する駆動手段の第２実施例を示す。この駆動手段は、回転アーム手段と一体に回転するよう設けたプーリ手段１８と、このプーリ手段１８を正逆両方向に回転させるワイヤもしくはベルト手段１９とにより構成する。このワイヤもしくはベルト手段を操作するワイヤもしくはベルト操作手段を、図８に示すように、ワイヤもしくはベルトを案内支持するようキャリッジ手段５に設けた支持体２０に回動自在に取り付けた２アーム形レバーハンドル２１により構成する。
【００２６】
好適には、プーリ手段１８を楕円形プーリ１８Ａとすると好適である。この楕円形プーリ１８Ａに対して上方ワイヤもしくはベルト１９Ａおよび下方ワイヤもしくはベルト１９Ｂのそれぞれを半周以上巻き掛けてから一方の端部を楕円プーリ１８Ａに固定する。これら上方ワイヤもしくはベルト１９Ａおよび下方ワイヤもしくはベルト１９Ｂの他方の端部は、図８に示すようにワイヤもしくはベルトを支持体２０に案内支持してから、この支持体２０に回動自在に取り付けた２アーム形のレバーハンドル２１の各アーム２１Ａおよび２１Ｂに固定する。
【００２７】
グリップ２１Ｃを握り、レバーハンドル２１を実線で示す位置と点線で示す位置との間で回動させることにより、上方ワイヤもしくはベルト１９Ａおよび下方ワイヤもしくはベルト１９Ｂが押し引きされ、プーリ手段１８が回動することによって回転アーム手段が回転する。図８において、キャリッジ手段５自体をメッセンジャーワイヤに沿って移動するためのキャリッジ操作ハンドル２２を示す。
【００２８】
上述の実施例１および実施例２におけるチェーン操作手段１２又はワイヤもしくはベルト手段１９は、手動操作のレバー手段ではなく、電動もしくは空気圧動作の動力手段とすることもできる。さらに、この動力手段を遠隔操作の動力手段として構成することもできる。
【産業上の利用可能性】
【００２９】
本発明ばねクリップ型ケーブルハンガー取り外し装置は、電力業界または通信業界で利用される装置であり、特に、電柱間に架設してある電力または通信ケーブルの増設または交換作業を行う際に、既存のばねクリップ型ケーブルハンガーを取り外す作業に使用し、取り外した後、ケーブル増設または交換作業を行う。
【図面の簡単な説明】
【００３０】
【図１】本発明によるばねクリップ型ケーブルハンガー取り外し装置の好適な第１の実施例を、メッセンジャーワイヤおよび（電力または通信）ケーブルと、並びにばねクリップ型ケーブルハンガーとともに示す線図的平面図である。
【図２】図１の線図的側面図である。
【図３】図１をキャリッジの正面から見た線図的正面図である。
【図４】レバー操作手段全体を示す一部省略した図１の実施例の線図的斜視図である。
【図５】キャリッジ手段の第１回転アーム手段をばねクリップ型ケーブルハンガーのループ内に進入させようとしている段階を示す平面図である。
【図６】キャリッジ手段の第１回転アーム手段がばねクリップ型ケーブルハンガーのループ内に進入した段階を示す側面図である。
【図７】本発明によるばねクリップ型ケーブルハンガー取り外し装置の第２の実施例における駆動手段を示す線図的説明図であり、（ａ）は平面図、（ｂ）は側面図である。
【図８】図７の実施例におけるワイヤもしくはベルト手段の操作手段を示す線図的説明図である。
【符号の説明】
【００３１】
１  ばねクリップ型ケーブルハンガー取り外し装置
２  メッセンジャーワイヤ
３  （電力または通信）ケーブル
４  ばねクリップ型ケーブルハンガー
５  キャリッジ手段
６  キャリッジ本体
６Ａ  捕集ケージ
７  ガイドローラ
７Ａ  拘束ピン
8a,8b,8c,8d   ギヤ
９  無端チェーン
１０  第１回転アーム手段
10a,10b 半径方向アーム
１１  第２回転アーム手段
11A   第１サブアーム手段
11B   第２サブアーム手段
11a,11b 半径方向アーム
１２  レバー操作手段
１３  スリーブ
１４  ワイヤ
１５  連結部
１６  レバーグリップ
１７  牽引ロープ
１８  プーリ手段
18Ａ  楕円プーリ
１９  ワイヤもしくはベルト手段
19Ａ  上方ワイヤもしくはベルト
19Ｂ  下方ワイヤもしくはベルト
２０  支持体
２１  レバーハンドル
２２  キャリッジ操作ハンドル
【図１】
2005287283.tif 000003
【図２】
2005287283.tif 000004
【図３】
2005287283.tif 000005
【図４】
2005287283.tif 000006
【図５】
2005287283.tif 000007
【図６】
2005287283.tif 000008
【図７】
2005287283.tif 000009
【図８】
2005287283.tif 000010